(57)【特許請求の範囲】
【請求項１】
光信号を第１波長帯と第２波長帯に分波する第１光カプラを有する第１中継器と、
前記第１中継器に接続し、前記第１波長帯の光信号を等化する第１等化フィルタと、前記第２波長帯の光信号を等化する第２等化フィルタと、を有するジョイントボックスと、
前記ジョイントボックスに接続し、前記等化された第１波長帯の光信号と前記等化された第２波長帯の光信号とを合波する第２光カプラを有する第２中継器と、
を備える光中継システム。
【請求項２】
前記第１波長帯はＣバンドであり、前記第２波長帯はＬバンドである、
請求項１に記載の光中継システム。
【請求項３】
前記第１中継器は、前記ジョイントボックスに接続する第１ジョイントリングを有し、前記第１光カプラは、前記第１ジョイントリング内に設けられる、
請求項１又は２に記載の光中継システム。
【請求項４】
前記第２中継器は、前記ジョイントボックスに接続する第２ジョイントリングを有し、前記第２光カプラは、前記第２ジョイントリング内に設けられる、
請求項１乃至３のいずれか１項に記載の光中継システム。
【請求項５】
別の光信号を前記第１波長帯と前記第２波長帯に分波する第３光カプラを有する第３中継器と、
前記第１中継器及び第３中継器に接続し、前記第１波長帯の前記別の光信号を等化する第３等化フィルタと、前記第２波長帯の前記別の光信号を等化する第４等化フィルタと、を有する別のジョイントボックスと、
をさらに備え、
前記第１中継器は、前記等化された前記第１波長帯の前記別の光信号と前記等化された前記第２波長帯の前記別の光信号とを合波する第４光カプラを有する、
請求項１乃至４のいずれか１項に記載の光中継システム。
【請求項６】
光信号を第１波長帯と第２波長帯に分波する第１光カプラを有する第１中継器と、
前記第１中継器に接続し、前記第１波長帯の光信号を減衰する第１アッテネータと、前記第２波長帯の光信号を減衰する第２アッテネータと、を有するジョイントボックスと、
前記ジョイントボックスに接続し、前記減衰された第１波長帯の光信号と前記減衰された第２波長帯の光信号とを合波する第２光カプラを有する第２中継器と、
を備える光中継システム。
【請求項７】
前記第１波長帯はＣバンドであり、前記第２波長帯はＬバンドである、
請求項６に記載の光中継システム。
【請求項８】
前記第１中継器は、前記ジョイントボックスに接続する第１ジョイントリングを有し、前記第１光カプラは、前記第１ジョイントリング内に設けられる、
請求項６又は７に記載の光中継システム。
【請求項９】
前記第２中継器は、前記ジョイントボックスに接続する第２ジョイントリングを有し、前記第２光カプラは、前記第２ジョイントリング内に設けられる、
請求項６乃至８のいずれか１項に記載の光中継システム。
【請求項１０】
別の光信号を前記第１波長帯と前記第２波長帯に分波する第３光カプラを有する第３中継器と、
前記第１中継器及び第３中継器に接続し、前記第１波長帯の前記別の光信号を減衰する第３アッテネータと、前記第２波長帯の前記別の光信号を減衰する第４アッテネータと、を有する別のジョイントボックスと、
をさらに備え、
前記第１中継器は、前記減衰された前記第１波長帯の前記別の光信号と前記減衰された前記第２波長帯の前記別の光信号とを合波する第４光カプラを有する、
請求項６乃至９のいずれか１項に記載の光中継システム。
【発明の詳細な説明】
【技術分野】
【０００１】
本発明は、光中継システムに関するものであり、特に、光ファイバ数を増加させることが可能な光中継システムに関する。
【背景技術】
【０００２】
近年、高速大容量通信が可能な光ケーブルを用いた長距離伝送が盛んに行われるようになっている。このような光ケーブルを用いた光通信においては、光伝送に伴って減衰する光信号を光中継器により増幅して長距離光伝送を実現している。しかしながら、大容量通信を実現する技術である光波長多重方式では、光中継器の利得が波長毎に異なるため、異なる波長間で光信号の強度に差が生じてしまう。そこで、光中継器と光中継器とを接続するジョイントボックス内に、光信号の利得偏差を減少させる光利得等化用フィルタを組み込むことがある。【０００３】
光ケーブルを海底に敷設する場合、光中継器やジョイントボックスも共に海底に敷設する。このとき、光中継器やジョイントボックスの径が大きいと、十分な深度に埋設できないことがある。このため、ジョイントボックスの小型化が要求される。また、光ケーブルの波浪抵抗や水圧負荷を軽減するためにも、ジョイントボックスの小型化が要求される。ジョイントボックスは、異なる波長を分波する光カプラと、波長間の光信号の強度を等化する光利得等化用フィルタと、光信号を再び合波する光カプラとを有している。ジョイントボックスの小型化のためにジョイントボックスの大きさが制限されると、ジョイントボックスに実装する光カプラや光利得等化用フィルタなどの光デバイスの数が制限される。その結果、該光デバイスと接続する光ファイバの数が制限され、高速大容量通信が難しくなるという問題があった。【０００４】
特許文献１には、光海底中継装置において、ジョイントボックスとして構成された筐体に、励起光を発生させる回路及びサージ保護回路を含む電気回路が実装されることが開示されている。また、ジョイントボックスとして構成された別の筐体に、光信号を通す光回路が実装されることが開示されている。そして、光回路として、３ｄＢカプラ、ＷＤＭカプラ、及びエルビウムドープトファイバを配設することが開示されている。しかしながら、特許文献１には、光利得等化用フィルタの実装については開示されていない。尚、光利得等化用フィルタを、等化フィルタと称することもある。【０００５】
特許文献２には、光海底ケーブル用光部品収容体の内部に、光増幅器の利得偏差や光海底ケーブルの伝送特性及びその敷設環境に対して、それぞれの光ファイバに最適な等化特性を有する光利得等化器が設置されていることが開示されている。しかしながら、特許文献２には、波長多重方式で必要な光カプラの実装については開示されていない。尚、光利得等化器を、等化フィルタと称することもある。
【先行技術文献】
【特許文献】
【０００６】
【特許文献１】特開２０１４−１４６８８１号公報
【特許文献２】特開２００５−２１５４１３号公報
【発明の概要】
【発明が解決しようとする課題】
【０００７】
上述のように、ジョイントボックスの小型化のためにジョイントボックスに実装する光デバイスの数が制限されると、該光デバイスに接続する光ファイバの数を増加させることが難しいという問題があった。【０００８】
本発明は、このような問題を解決するためになされたものであり、光ファイバ数を増加させることが可能な光中継システムを提供することを目的とする。
【課題を解決するための手段】
【０００９】
本発明に係る光中継システムは、
光信号を第１波長帯と第２波長帯に分波する第１光カプラを有する第１中継器と、
前記第１中継器に接続し、前記第１波長帯の光信号を等化する第１等化フィルタと、前記第２波長帯の光信号を等化する第２等化フィルタと、を有するジョイントボックスと、
前記ジョイントボックスに接続し、前記等化された第１波長帯の光信号と前記等化された第２波長帯の光信号とを合波する第２光カプラを有する第２中継器と、
を備える。【００１０】
本発明に係る光中継システムは、
光信号を第１波長帯と第２波長帯に分波する第１光カプラを有する第１中継器と、
前記第１中継器に接続し、前記第１波長帯の光信号を減衰する第１アッテネータと、前記第２波長帯の光信号を減衰する第２アッテネータと、を有するジョイントボックスと、
前記ジョイントボックスに接続し、前記減衰された第１波長帯の光信号と前記減衰された第２波長帯の光信号とを合波する第２光カプラを有する第２中継器と、
を備える。
【発明の効果】
【００１１】
本発明によれば、光ファイバ数を増加させることが可能な光中継システムを提供することができる。
【図面の簡単な説明】
【００１２】
【図１】実施の形態１に係る光中継システムを例示するブロック図である。
【図２Ａ】図１に示す点Ｐ１での光信号を例示する模式図である。
【図２Ｂ】図１に示す点Ｐ２での光信号を例示する模式図である。
【図２Ｃ】図１に示す点Ｐ３での光信号を例示する模式図である。
【図２Ｄ】図１に示す点Ｐ４での光信号を例示する模式図である。
【図２Ｅ】図１に示す点Ｐ５での光信号を例示する模式図である。
【図２Ｆ】図１に示す点Ｐ６での光信号を例示する模式図である。
【図３】実施の形態１に係る光中継システムを例示するブロック図である。
【図４】比較例に係る光中継システムを例示するブロック図である。
【図５】実施の形態２に係る光中継システムを例示するブロック図である。
【図６】実施の形態３に係る光中継システムを例示するブロック図である。
【発明を実施するための形態】
【００１３】
以下、図面を参照して本発明の実施の形態について説明する。各図面において、同一又は対応する要素には同一の符号が付されており、説明の明確化のため、必要に応じて重複説明を省略する。
【００１４】
［実施の形態１］
実施の形態１に係る光中継システムの構成について説明する。
実施の形態１においては、電話回線等の光信号を中継する目的で海底に敷設される光海底通信システムであって、ＣバンドとＬバンドが波長多重された光信号を分波し、等化し、合波する光中継システムを例に挙げる。また、中継器には、光信号を増幅する光増幅器が実装されることもあるが、この例では省略する。
【００１５】
図１は、実施の形態１に係る光中継システムを例示するブロック図である。
図１は、光ファイバ１本の下りＤＬ１についてのブロック図である。
図２Ａは、図１に示す点Ｐ１での光信号を例示する模式図である。
図２Ｂは、図１に示す点Ｐ２での光信号を例示する模式図である。
図２Ｃは、図１に示す点Ｐ３での光信号を例示する模式図である。
図２Ｄは、図１に示す点Ｐ４での光信号を例示する模式図である。
図２Ｅは、図１に示す点Ｐ５での光信号を例示する模式図である。
図２Ｆは、図１に示す点Ｐ６での光信号を例示する模式図である。
図２Ａ〜図２Ｆにおいては、横軸は波長λを示し、縦軸は光信号の強度Ｐｓを示す。
図３は、実施の形態１に係る光中継システムを例示するブロック図である。
図３は、光ファイバ２本（下りＤＬ１及び下りＤＬ２）と、光ファイバ２本（上りＵＬ１及び上りＵＬ２）についてのブロック図である。
【００１６】
下りＤＬについて説明する。
図１に示すように、下りＤＬ１において、光信号は、光カプラ１１１に入力し、等化フィルタ１３１を介して光カプラ１２１へ至る。
【００１７】
実施の形態１に係る光中継システム１０は、中継器１１と中継器１２とジョイントボックス１３とを有する。中継器１１は、光信号を分波する光カプラ１１１を有し、光カプラ１１１は、光信号を第１波長帯と第２波長帯に分波する光カプラである。第１波長帯は、例えば、Ｃバンドであり、第２波長帯は、例えばＬバンドである。
【００１８】
ＣバンドとＬバンドのそれぞれの光信号は、光信号の強度にバラツキがある。このため、ＣバンドとＬバンドのそれぞれの光信号の強度を、等化フィルタを使用して所定値に調整する。
【００１９】
具体的には、光カプラ１１１は、ＣバンドとＬバンドとが波長多重された図２Ａに示すような光信号を、図２Ｂに示すようなＣバンドの光信号と、図２Ｃに示すようなＬバンドの光信号とに分波する。
【００２０】
ジョイントボックス１３は、中継器１１に接続し、等化フィルタ１３１と等化フィルタ１３２とを有する。等化フィルタ１３１は分波されたＣバンド（第１波長帯）の光信号を等化し、等化フィルタ１３２は、分波されたＬバンド（第２波長帯）の光信号を等化する。
【００２１】
具体的には、等化フィルタ１３１は、波長毎に光信号の強度が異なる光信号（図２Ｂに示す）を、Ｃバンド内において光信号の強度がほぼ均一となる光信号（図２Ｄに示す）に補正する。また、等化フィルタ１３２は、等化フィルタ１３１と同様に、図２Ｃに示すような光信号を、Ｌバンド内において光信号の強度がほぼ均一となる光信号（図２Ｅに示す）に補正する。尚、ジョイントボックス１３は、中継器１１に隣接して配置されていてもよい。
【００２２】
中継器１２は、ジョイントボックス１３に接続し、等化されたＣバンドの光信号と等化されたＬバンドの光信号とを合波する光カプラ１２１を有する。具体的には、光カプラ１２１は、図２Ｄに示すようなＣバンドの光信号と図２Ｅに示すようなＬバンドの光信号とを合波して、図２Ｆに示すような波長多重された光信号を出力する。尚、中継器１２は、ジョイントボックス１３に隣接して配置されていてもよい。
【００２３】
また、中継器１１は、ジョイントボックス１３に接続するジョイントリング１１３を有し、光カプラ１１１は、このジョイントリング１１３内に設けられてもよい。また、中継器１２は、ジョイントボックス１３に接続するジョイントリング１２３を有し、光カプラ１２１は、このジョイントリング１２３内に設けられてもよい。
【００２４】
尚、中継器１１を第１中継器と称し、中継器１２を第２中継器と称することもある。また、光カプラ１１１を第１光カプラと称し、光カプラ１２１を第２光カプラと称することもある。また、等化フィルタ１３１を第１等化フィルタと称し、等化フィルタ１３２を第２等化フィルタと称することもある。また、ジョイントリング１１３を第１ジョイントリングと称し、ジョイントリング１２３を第２ジョイントリングと称することもある。
【００２５】
上りＵＬ１について説明する。
図３においては、図１と比べて、下りの光ファイバ１本（下りＤＬ２）と、上りの光ファイバ２本（上りＵＬ１及び上りＵＬ２）と追加して示す。
【００２６】
図３に示すように、下りＤＬ１と対になるようにして上りＵＬ１においても、光カプラや等化フィルタが設けられる。そして、上りＵＬ１において、光信号は、光カプラ１２２に入力し、等化フィルタ１３３及び等化フィルタ１３４を介して光カプラ１１２へ至る。
【００２７】
中継器１２は、ジョイントリング１２３内に、光信号を分波する光カプラ１２２を有し、光カプラ１２２は、光信号をＣバンドとＬバンドに分波する。
【００２８】
ジョイントボックス１３は、等化フィルタ１３３と等化フィルタ１３４とを有する。等化フィルタ１３３は分波されたＬバンドの光信号を等化し、等化フィルタ１３４は、分波されたＣバンドの光信号を等化する。
【００２９】
中継器１１は、ジョイントリング１１３内に、等化されたＣバンドの光信号と等化されたＬバンドの光信号とを合波する光カプラ１１２を有する。
【００３０】
光カプラ１２２は、光カプラ１２１と共に、ジョイントリング１２３内に設けられる。等化フィルタ１３３及び等化フィルタ１３４は、等化フィルタ１３１及び等化フィルタ１３２と共に、ジョイントボックス１３内に設けられる。光カプラ１１２は、光カプラ１１１と共に、ジョイントリング１１３内に設けられる。
【００３１】
下りＤＬ１において、光中継システム１０は、ジョイントボックス１３に等化フィルタ１３１と等化フィルタ１３２のみを実装する。そして、光カプラ１１１は中継器１１のジョイントリング１１３に実装し、光カプラ１２１は中継器１２のジョイントリング１２３に実装する。このようにして、光カプラや等化フィルタ等の光デバイスを、ジョイントボックス及び中継器に分散させて実装する。
【００３２】
これにより、波長多重された光信号の利得等化に必要な光デバイスのうち、光カプラ１１１と光カプラ１２１を、ジョイントボックス１３の外部に出すことができる。そして、ジョイントボックス１３に実装する光デバイスの数を２個とし、光デバイスの実装や光ファイバの引き回しを単純化することができる。
【００３３】
上りＵＬ１も下りＤＬ１と同様である。すなわち、上りＵＬ１において、ジョイントボックス１３に等化フィルタ１３３と等化フィルタ１３４のみを実装し、ジョイントリング１２３に光カプラ１２２を実装し、ジョイントリング１１３に光カプラ１１２を実装する。
【００３４】
下りＤＬ１の光ファイバ１本と上りＵＬ１の光ファイバ１本とで構成される光ファイバを、光ファイバ１ペアと称する。光ファイバ１ペアで必要とされる光デバイスの数、すなわち、下りＤＬ１と上りＵＬ１で必要とされる光デバイスの数は、ジョイントボックス１３が４個であり、ジョイントリング１１３が２個であり、ジョイントリング１２３が２個である。ジョイントボックス１３の光デバイスの４個とは、等化フィルタ１３１−１３４であり、ジョイントリング１１３の光デバイスの２個とは、光カプラ１１１−１１２であり、ジョイントリング１２３の光デバイスの２個とは、光カプラ１２１−１２２である。
【００３５】
尚、下りＤＬ２は下りＤＬ１と同様であり、上りＵＬ２は上りＵＬ１と同様であるので、詳細な説明は省略する。
【００３６】
［比較例］
実施の形態１の比較例について説明する。
図４は、比較例に係る光中継システムを例示するブロック図である。
【００３７】
図４に示すように、比較例に係る光中継システム５０は、光ファイバ１ペアが実装された光中継システム１０と比べて、ジョイントボックス５３に、光カプラ１１１、光カプラ１１２、光カプラ１２１及び光カプラ１２２が実装されている点が異なる。すなわち、光カプラ１１１及び光カプラ１１２がジョイントリング１１３に実装されずにジョイントボックス５３に実装され、光カプラ１２１及び光カプラ１２２がジョイントリング１２３に実装されずにジョイントボックス５３に実装されている。これにより、ジョイントボックス１３に実装される光デバイスの数は、８個となる。
【００３８】
ここで、光中継システム１０を光中継システム５０と比較する。
光中継システム５０においては、光ファイバ１ペア（下りＤＬ１と上りＵＬ１）当たりのジョイントボックス５３に実装される光デバイスの数は８個である。一方、光中継システム１０においては、光ファイバ１ペア当たりのジョイントボックス１３に実装される光デバイスの数は４個である。すなわち、光中継システム１０においては、ジョイントボックス１３に実装される光デバイスの数を、光中継システム５０と比べて半分に削減することができる。
【００３９】
また、光中継システムを海底等に敷設する場合、ジョイントボックスを小型化するため、ジョイントボックスの大きさに制限が掛かる。大きさが制限されたジョイントボックスに実装することができる光デバイスの数は、自ずと制限される。ジョイントボックスに実装される光デバイスの数が、例えば、８個までに制限された場合、光中継システム５０では、光ファイバを２本（光ファイバ１ペア）しか接続できない。一方、光中継システム１０では、図３に示すように、光ファイバを４本（光ファイバ２ペア）まで接続することができ、光中継システム５０と比べて２倍に増加させることができる。
【００４０】
光中継システムのジョイントボックスは、海底に敷設するために小型化が必要である。そこで、実施の形態１に係る光中継システム１０においては、光カプラや等化フィルタ等の光デバイスの配置（実装）を変更することにより、ジョイントボックス１３内に収容する光ファイバの数を増加させ、中継器やジョイントボックスに接続することが可能な光ファイバの数を増加させることができる。その結果、光ファイバ数を増加させることが可能な光中継システムを提供することができる。
【００４１】
また、光中継システム１０を使用することにより、光ファイバ数を増加させることができるので、光海底通信システムを拡張することができる。
【００４２】
ここで、実施の形態１に係る光中継システム１０の特徴を示す。
実施の形態１においては、海底ケーブル同士を接続するためのジョイントボックス内に、等化フィルタのようなパッシブデバイスを実装する。また、中継器のジョイントリング内に、光カップラを実装する。
【００４３】
例えば、下りＤＬ１において、光信号をＣバンドとＬバンドを分波する光カプラ１１１を、ジョイントボックス１３に接続するジョイントリング１１３内に実装する。また、ＣバンドとＬバンドを合波する光カプラ１２１を、ジョイントボックス１３に接続するジョイントリング１２３内に実装する。
【００４４】
上りＵＬ１において、光信号をＣバンドとＬバンドに分波する光カプラ１２２を、ジョイントボックス１３に接続するジョイントリング１２３内に実装する。また、ＣバンドとＬバンドを合波する光カプラ１１２を、ジョイントボックス１３に接続するジョイントリング１１３内に実装する。
【００４５】
このような実装により、ファクトリージョイントやユニバーサルジョイント等のジョイントボックス１３の内部に実装する光デバイスの数を少なくすることができる。また、このような実装により、ジョイントボックス１３内に収容する光ファイバ数を増加させることができる。
【００４６】
そして、海底に敷設されるジョイントボックスや中継器の数を増加させることなく、実装可能な光ファイバの数を増加させることができる。
【００４７】
［実施の形態２］
図５は、実施の形態２に係る光中継システムを例示するブロック図である。
【００４８】
図５に示すように、実施の形態２に係る光中継システム２０は、図３に示す光中継システム１０と比べて、等化フィルタの代わりにアッテネータが実装されている点が異なる。
【００４９】
実施の形態１で説明したように、ＣバンドとＬバンドのそれぞれの光信号は、光信号の強度にバラつきがある。このため、アッテネータを使用し、ＣバンドとＬバンドのそれぞれの光信号の強度を減衰させて所定値に調整する。具体的には、等化フィルタを使用した場合と同様に、ＣバンドとＬバンドとに分波した後、アッテネータを使用して光信号の強度を減衰させて所定値に調整する。
【００５０】
光中継システム２０は、中継器１１とジョイントボックス２３と中継器１２とを有する。
【００５１】
下りＤＬ１において、中継器１１は、光中継システム１０と同様に、光信号をＣバンドとＬバンドに分波する光カプラ１１１を有する。ジョイントボックス２３は、中継器１１に接続し、Ｃバンドの光信号を減衰するアッテネータ２３１とＬバンドの光信号を減衰するアッテネータ２３２とを有する。中継器１２は、ジョイントボックス２３に接続し、減衰されたＣバンドの光信号と減衰されたＬバンドの光信号とを合波する光カプラ１２１を有する。
【００５２】
光カプラ１１１は、ジョイントボックス１３と接続するジョイントリング１１３内に設けられ、光カプラ１２１は、ジョイントボックス１３と接続するジョイントリング１２３内に設けられる。
【００５３】
上りＵＬ１において、ジョイントボックス２３は、アッテネータ２３３とアッテネータ２３４とを有する。アッテネータ２３３は分波されたＬバンドの光信号を減衰し、アッテネータ２３４は、分波されたＣバンドの光信号を減衰する。これにより、ＣバンドとＬバンドの両方のバンドのそれぞれの光信号の強度を、バランスよく調整することができる。
【００５４】
尚、アッテネータ２３３及びアッテネータ２３４は、アッテネータ２３１及びアッテネータ２３２と共に、ジョイントボックス２３に設けられる。また、下りＤＬ２は下りＤＬ１と同様であり、上りＵＬ２は上りＵＬ１と同様であるので、詳細な説明は省略する。
【００５５】
実施の形態２に係る光中継システム２０においては、光カプラをジョイントリング内に実装し、アッテネータをジョイントボックスに実装することにより、ジョイントボックス内に収容する光ファイバの数を増加させ、中継器やジョイントボックスに接続することが可能な光ファイバの数を増加させることができる。
【００５６】
尚、アッテネータ２３１を第１アッテネータと称し、アッテネータ２３２を第２アッテネータと称することもある。
【００５７】
［実施の形態３］
図６は、実施の形態３に係る光中継システムを例示するブロック図である。
【００５８】
図６に示すように、実施の形態３に係る光中継システム３０は、図３に示す光中継システム１０と比べて、ジョイントボックス３５と中継器３４とをさらに備えている点が異なる。ジョイントボックス３５は中継器１１に接続され、中継器３４はジョイントボックス３５に接続される。
【００５９】
下りＤＬ１に関する光デバイス（光カプラ１１１、等化フィルタ１３１、等化フィルタ１３２及び光カプラ１２１）及び上りＵＬ１に関する光デバイス（光カプラ１２２、等化フィルタ１３３、等化フィルタ１３４及び光カプラ１１２）の実装は、光中継システム１０と同様であり、説明を省略する。
【００６０】
中継器３４は、ジョイントリング３４３を有し、ジョイントリング３４３には、下りＤＬ２の光信号をＣバンドとＬバンドに分波する光カプラ３４１が実装される。ジョイントボックス３５は、中継器１１及び中継器３４に接続し、ジョイントボックス３５には、分波されたＣバンドの光信号を等化する等化フィルタ３５１と、分波されたＬバンドの光信号を等化する等化フィルタ３５２とが実装される。中継器１１のジョイントリング３１６には、等化されたＣバンドの光信号と等化されたＬバンドの光信号とを合波する光カプラ３１４が実装される。
【００６１】
また、中継器１１のジョイントリング３１６には、上りＵＬ２の光信号をＣバンドとＬバンドに分波する光カプラ３１５が実装される。ジョイントボックス３５には、分波されたＬバンドの光信号を等化する等化フィルタ３５３と、分波されたＣバンドの光信号を等化する等化フィルタ３５４とが実装される。中継器３４のジョイントリング３４３には、等化されたＣバンドの光信号と等化されたＬバンドの光信号とを合波する光カプラ３４２が実装される。
【００６２】
また、光中継システム３０では、等化フィルタの代わりにアッテネータを実装してもよい。
【００６３】
実施の形態３に係る光中継システム３０においては、ジョイントボックス３５に４個の光デバイス（等化フィルタ３５１−３５４）を実装し、ジョイントボックス１３に４個の光デバイス（等化フィルタ１３１−１３４）を実装する。また、ジョイントリング３４３に２個の光デバイス（光カプラ３４１、３４２）を実装し、ジョイントリング３１６に２個の光デバイス（光カプラ３１４、３１５）を実装し、ジョイントリング１１３に２個の光デバイス（光カプラ１１１、１１２）を実装し、ジョイントリング１２３に２個の光デバイス（光カプラ１２１、１２２）を実装する。
【００６４】
これにより、光中継システム３０は、光ファイバ２ペアを収容することができる。
【００６５】
尚、中継器３４を第３中継器と称し、ジョイントボックス３５を別のジョイントボックスと称することもある。下りＤＬ２の光信号を別の光信号と称することもある。光カプラ３４１を第３光カプラと称し、光カプラ３１４を第４光カプラと称することもある。等化フィルタ３５１を第３等化フィルタと称し、等化フィルタ３５２を第４等化フィルタと称することもある。
【００６６】
また、実施の形態においては、光海底通信システムを例に挙げて説明した。これには限定されず、大きさに制限があり実装するデバイスの数に制限のがある他の装置に適用されてもよい。
【００６７】
なお、本発明は上記実施の形態に限られたものではなく、趣旨を逸脱しない範囲で適宜変更することが可能である。
【００６８】
以上、実施の形態を参照して本願発明を説明したが、本願発明は上記によって限定されるものではない。本願発明の構成や詳細には、発明のスコープ内で当業者が理解し得る様々な変更をすることができる。
【００６９】
この出願は、２０１７年２月２２日に出願された日本出願特願２０１７−０３０７８６を基礎とする優先権を主張し、その開示の全てをここに取り込む。
【符号の説明】
【００７０】
１０、２０、３０、５０…光中継システム  １１、１２、３４…中継器  １３、３５、…ジョイントボックス  １１１、１１２、１２１、１２２、３１４、３１５、３４１、３４２…光カプラ  １３１−１３４、３５１−３５４…等化フィルタ  １１３、１２３、３１６、３４３…ジョイントリング  ２３１−２３４…アッテネータ  ＤＬ、ＤＬ１、ＤＬ２…下り  ＵＬ、ＵＬ１、ＵＬ２…上り  Ｐ１、Ｐ２、Ｐ３、Ｐ４、Ｐ５、Ｐ６…点  Ｐｓ…強度  λ…波長
【図１】
0006711448.tif 000002
【図２Ａ】
0006711448.tif 000003
【図２Ｂ】
0006711448.tif 000004
【図２Ｃ】
0006711448.tif 000005
【図２Ｄ】
0006711448.tif 000006
【図２Ｅ】
0006711448.tif 000007
【図２Ｆ】
0006711448.tif 000008
【図３】
0006711448.tif 000009
【図４】
0006711448.tif 000010
【図５】
0006711448.tif 000011
【図６】
0006711448.tif 000012